(57)【要約】【課題】  簡単な構造で生産性が高く、用途範囲の広い物品収納ケースにおけるロック装置を提供できるようにする。【解決手段】  合成樹脂でスライダ部分の先端部に掛合部を一体に形成し、開扉防止片が開扉防止位置のときにスライド部分の掛合部が掛合する受け部を、スライダ部分が摺動する溝状のガイド部に設け、当該ガイド部に挿入した掛合解除具で掛合部を掛合を解除する方向に弾性変形させることにより、掛合部と受け部との掛合を解除し、スライダ部分を介して開扉防止片を開扉防止位置から開扉可能位置に摺動可能とするようにロック装置を構成する。【選択図】図１
2006151455.tif 000002
【特許請求の範囲】
【請求項１】
容器本体と容器本体の開口部を蓋する蓋体とからなる物品収納ケースの蓋体がひらかれるのを防止するロック装置であって、容器本体の一側辺部を摺動するスライダ部分と、当該スライダ部分とともに開扉防止位置から開扉可能位置に摺動する開扉防止片とを有し、スライダ部分に、掛合解除具で容器本体側部分との掛合が解除されるように構成されたロック装置において、合成樹脂でスライダ部分の先端部に掛合部を一体に形成し、開扉防止片が開扉防止位置のときにスライド部分の掛合部が掛合する受け部を、スライダ部分が摺動する溝状のガイド部に設け、当該ガイド部に挿入した掛合解除具で掛合部を掛合を解除する方向に弾性変形させることにより、掛合部と受け部との掛合を解除し、スライダ部分を介して開扉防止片を開扉防止位置から開扉可能位置に摺動可能とするようにロック装置を構成したことを特徴とする物品収納ケースにおけるロック装置。
【発明の詳細な説明】
【技術分野】
【０００１】
本発明は、ケース内に収納したＣＤ、ビデオテープあるいはパソコン等の電子部品等を収納して、展示したり、販売するときに使用する物品収納ケースに関し、特に、ケースを開けて収納された物品のみが持ち出されるのを防止するようにした物品収納ケースにおけるロック装置に関するものである。
【背景技術】
【０００２】
上記物品収納ケースは、ケースごと持ち出されてしまうのを防止するために、磁気的な防犯タグ（シール式のもの等）がケースに貼着されており、会計処理がされない状態で持ち出すと警報がなるようにされた、所謂盗難防止ケースとなっている。
そこで、こうした不当な持ち出しを防止するための防犯タグが備えられているケースではそのケースを開いて中身だけを取り出されてしまうことがある。こうした中身だけが取り出されるのを防止するために、ケースの容器本体と蓋との間に、ロック装置が設けられている。
【０００３】
このロック装置としては、容器本体と容器本体の開口部を蓋する蓋体とからなる物品収納ケースの蓋体の開扉を防止するために、容器本体の一側辺部を摺動するスライダ部分と、当該スライダ部分に連動して開扉防止位置と、開扉可能位置に摺動する開扉防止片とを有し、スライダ部分に、磁石で吸着される金属製材料で先端部を外向き鉤形に形成された掛合片を取り付け、開扉防止片を開扉防止位置から開扉可能位置にするときは、先端に磁石を備えた掛合解除具で掛合片を掛合を解除する方向に吸着することにより掛合を解除して開扉防止片を摺動するように構成したものが提案されている（特許文献１）。
【特許文献１】特開平２００４−２３１３００号公報
【発明の開示】
【発明が解決しようとする課題】
【０００４】
ところが、上記公報に記載されたロック装置では、掛合片が磁石で吸着可能な金属製でスライダ部分とは別体に形成されていることから、この掛合片を生産する手間や、これを組み立てる手間が必要となり、その分、生産性が低下するとともに、製造コストも高くなってしまうという問題があった。
加えて、掛合片の掛合解除を磁石でおこなうことから、磁気を嫌う精密機器の収納容器としては不向きであり、その用途の自由度が少ないという問題もある。
本発明は上記問題点に鑑み提案されたもので、簡単な構造で生産性が高く、用途範囲の広い物品収納ケースにおけるロック装置を提供できるようにすることを目的とするものである。
【課題を解決するための手段】
【０００５】
上記目的を達成するために本発明にかかる物品収納ケースにおけるロック装置は、容器本体と容器本体の開口部を蓋する蓋体とからなる物品収納ケースの蓋体がひらかれるのを防止するロック装置であって、容器本体の一側辺部を摺動するスライダ部分と、当該スライダ部分とともに開扉防止位置から開扉可能位置に摺動する開扉防止片とを有し、スライダ部分に、掛合解除具で容器本体側部分との掛合が解除されるように構成されたロック装置において、合成樹脂でスライダ部分の先端部に掛合部を一体に形成し、開扉防止片が開扉防止位置のときにスライド部分の掛合部が掛合する受け部を、スライダ部分が摺動する溝状のガイド部に設け、当該ガイド部に挿入した掛合解除具で掛合部を掛合を解除する方向に弾性変形させることにより、掛合部と受け部との掛合を解除し、スライダ部分を介して開扉防止片を開扉防止位置から開扉可能位置に摺動可能とするようにロック装置を構成したことを最も主要な特徴とするものである。
【発明の効果】
【０００６】
本発明の物品収納ケースにおけるロック装置によれば、容器本体の一側辺部を摺動するスライダ部分の先端部に掛合部を一体に形成し、スライダ部分が開扉防止位置のときに前記掛合部が掛合する受け部を、スライダ部分を摺動可能に収納するガイド部に設け、当該ガイド部に挿入した掛合解除具で掛合部を弾性変形させることにより、掛合部と受け部との掛合を解除し、スライダ部分を介して開扉防止片を開扉防止位置から開扉可能位置に摺動可能にしてあるので、掛合部をスライダ部分と別体で形成して組み付けるようにしたものに比べて生産性が高く、構造も簡単で、安価にすることができる。
【０００７】
また、受け部に掛合する掛合分が合成樹脂でスライダ部分と一体に形成してあるので、これを操作する操作具も従来のように磁石で構成しなくても済む。これにより、磁気を嫌う精密機器の収納容器としても十分に使用することができ、その用途の自由度が大幅に向上させることができる利点がある。
【発明を実施するための最良の形態】
【０００８】
図１は、ＣＤ等の光学記録媒体を収納するためのロック装置を備えた収納ケースの分解斜視図であって、図中符号１は収納ケースを全体的に示す。
この収納ケース１は、容器本体２と容器本体２の上方開口部３を蓋する蓋体４とを備えてなり、容器本体２と蓋体４とは透明な合成樹脂で形成されている。
上記蓋体４は、容器本体２の開口部３に嵌合する矩形の板の四囲に周壁５を設け、蓋体４を容器本体２の上方開口部３に嵌着したときにその内部に物品が収納される空間Ｓが形成されるようになっている。
【０００９】
容器本体２は、上面が開口する矩形の容器に形成され、周壁６の一側辺部の端寄り部分にロック装置７が設けられている（図１乃至図３参照）。
このロック装置７は、図３乃至図５に示すように容器本体２の一側辺部に平行に形成された溝状のガイド部９と、ガイド部９を開扉防止位置から開扉可能位置間を摺動するスライダ部分１０とを備え、スライダ部分１０には蓋体４の上面に重なり合って蓋体４の開扉を阻止する板状の開扉防止片１１が合成樹脂により一体に形成されており、後述の掛合解除具８でスライダ部分１０と容器本体２との掛合が解除されるように構成されている。
また、開扉防止片１１には複数のＷ型のスリットを並設して形成された破壊防止部１２が設けてある。この破壊防止部１２は、開扉防止片１１を折ろうとした時にＷ型のスリットの鋭利な部分１３が現れるようになっている。
【００１０】
上記溝状のガイド部９は、図３乃至図５に示すように容器本体２の一側辺部に溝形成部１４を突出形成し、この溝形成部１４に側面視において、大径の角型溝１５を貫通させ、この角型溝１５の上方に小幅の溝１６を一連に形成してあり（図３参照）、大径の角型溝１５には、後述するスライダ部分１０の掛合部１７を受け止める受け部（容器本体２側部分）１８が形成されている（図６参照）。
この受け部１８は、開扉防止片１１が蓋体４に重なる開扉防止位置でスライダ部分１０の掛合部１７を受け止める位置と開扉防止片１１が蓋体４から外れた開扉可能位置でスライダ部分１０の掛合部１７を受け止める位置に、突出部１９を大径の角型溝１５内に山形に突出する状態で形成されている。
【００１１】
ガイド部９を摺動するスライダ部分１０は、図７乃至図１１に示すように大径の角型溝１５部分を摺動する角型大径部２０と、角型大径部２０と前記開扉防止片１１とを連結し、小幅の溝１６を摺動する連結部２１とからなり、角型大径部２０の先端部分に掛合部１７が形成されている。
この掛合部１７は、特に図１０に示すように中間部分にスリット２３が形成され先端部分を先細り傾斜面２４にするとともに、傾斜面２４に後端部分は角型大径部２０の側面から突出し、此処に鉤状の突起２５を設けて形成してある。
【００１２】
一方、開扉防止片１１が蓋体４に重なる開扉防止位置から開扉可能位置にスライダ部分１０を摺動可能にするために掛合部１７と受け部１８との掛合を解除する掛合解除具８は、図１２に示すように、大径の角型溝１５部分に挿入可能な押し込み桿２６の先端部分に先端側で広がる傾斜面２８を有するＹ型の切り込み２７を刻設して形成したものである。尚、押し込み桿２６部分の形状は図１３に示すようなキーホルダにも吊下げ可能な小型の形状にすることもできる。
【００１３】
上記のように形成されたロック装置７を使用する手順を次に説明する。
開扉防止片１１を開扉可能位置にした容器本体２の上方開口部３から例えばＣＤやＤＶＤ等の所望の物品を容器本体２内に入れた後、上方開口部３に蓋体４を嵌合させて蓋する。
次に、開扉防止片１１を開扉可能位置から開扉防止位置に摺動させる。
すると、スライダ部分１０の角型大径部２０が角型溝１５を摺動し、開扉防止片１１が蓋体４と重なり合う開扉防止位置になった位置でスライダ部分１０の掛合部１７が受け部１８に掛合し、開扉防止片１１は開扉防止位置にしっかりと保持される。
【００１４】
そして、上記所望の物品を容器本体２から取り出す場合は、角型溝１５の掛合部１７側の端部開口から掛合解除具８を挿入して押し込み桿２６の先端の切り込み２７を、掛合部１７の先端の傾斜面２４に当接させた後、さらに押し込み桿２６を押し込むと、この切り込み２７が掛合部１７を受け部１８から離脱する方向に弾性変形させ、掛合部１７と受け部１８との掛合が解除される。
斯くして掛合部１７と受け部１８との掛合が解除されると、これまで蓋体４に重なって蓋体４が開扉されるのを防止していた開扉防止片１１は蓋体４と重なり合わない開扉可能位置に移動するので蓋体４を開いて中に収納されていた物品を取り出すことができるのである。
【００１５】
尚、上記実施の形態では、スライダ部分１０の掛合部１７片の先端部分を先細り傾斜面２４にしてあるがこれを垂直面にすることもできる。
また、収納ケース１を透明な合成樹脂で形成するようにしてあるが、こうしたものに限られず、半透明や不透明合成樹脂で形成することができるのはもちろんであり、収納ケース１の具体的構成は、図に示したものに限定されるものではなく、適宜変更可能である。
また、この収納ケース１に渋滞からある種々の盗難防止タグを貼付して収納ケース１ごとの盗難に備えるようにすることはもとより可能である。
【図面の簡単な説明】
【００１６】
【図１】は本発明にかかるロック装置を備えた物品収納ケースの分解斜視図である。
【図２】は本発明にかかるロック装置を備えた物品収納ケースの容器本体部分の平面図である。
【図３】は本発明にかかるロック装置を備えた物品収納ケースの容器本体部分の側面図である。
【図４】は本発明にかかるロック装置を備えた物品収納ケースのロック装置部分の平面図である。
【図５】は本発明にかかるロック装置を備えた物品収納ケースのロック装置部分の横断平面図である。
【図６】は本発明にかかるロック装置を備えた物品収納ケースのスライダ部分の要部を横断した拡大平面図である。
【図７】は本発明にかかるロック装置を備えた物品収納ケースのスライダ部分の側面図である。
【図８】は本発明にかかるロック装置を備えた物品収納ケースのスライダ部分を横断した平面図である。
【図９】は本発明にかかるロック装置を備えた物品収納ケースのスライダ部分の平面図である。
【図１０】は本発明にかかるロック装置を備えた物品収納ケースの掛合部の拡大断面図である。
【図１１】は本発明にかかるロック装置を備えた物品収納ケースのスライダ部分の背面図である。
【図１２】は本発明にかかるロック装置を備えた物品収納ケースのロック解除具の平面図である。
【図１３】は本発明にかかるロック装置を備えた物品収納ケースのロック解除具の変形例を示す平面図である。
【符号の説明】
【００１７】
１・・・収納ケース
2・・・容器本体
３・・・上部開口部
４・・・蓋体
５・・・4の周壁
６・・・2の周壁
７・・・ロック装置
８・・・掛合解除部
９・・・ガイド部
１０・・・スライド部分
１１・・・開扉防止片
１２・・・破壊防止片
１３・・・鋭利な部分
１４・・・溝形成部
１５・・・角型溝
１６・・・小幅の溝
１７・・・掛合部
１８・・・受け部
１９・・・突出部
２０・・・角型大径部
２１・・・連結部
２３・・・スリット
２４・・・傾斜面
２５・・・鉤状の突起
２６・・・・押し込み桿
２７・・・切り込み
２８・・・８の傾斜面
【図１】
2006151455.tif 000003
【図２】
2006151455.tif 000004
【図３】
2006151455.tif 000005
【図４】
2006151455.tif 000006
【図５】
2006151455.tif 000007
【図６】
2006151455.tif 000008
【図７】
2006151455.tif 000009
【図８】
2006151455.tif 000010
【図９】
2006151455.tif 000011
【図１０】
2006151455.tif 000012
【図１１】
2006151455.tif 000013
【図１２】
2006151455.tif 000014
【図１３】
2006151455.tif 000015